(57)【要約】【課題】撮像用レンズユニットが取り外された状態において、撮像装置の所定部分に異物が入るのを抑制すると共に、光学的な悪影響の少ない、撮像装置を提供する。【解決手段】取付部材３２をガイド溝２２に係合させ、レンズユニット３０をガイド溝２２に沿って、下側に移動させると、開口部カバー１８も、コイルスプリング２８の伸び力に抗して押し下げられ、レンズユニット３０がカメラ本体１２に装着されると共に、開口部カバー１８が、開放位置Ｐ２へ移動される。レンズユニット３０を取り外す際には、レンズユニット３０を、ガイド溝２２に沿って上側に移動させ、ガイド溝２２との係合を解く。このとき、開口部カバー１８は、コイルスプリング２８によって開放位置Ｐ２から閉鎖位置Ｐ１へ付勢されているので、レンズユニット３０と共にガイド溝２２に沿って上側に移動し、閉鎖位置Ｐ１へ固定される。【選択図】　図１
2004109970.tif 000002
【特許請求の範囲】
【請求項１】
撮像用レンズユニットを着脱可能な撮像装置であって、
撮像用レンズユニットからの光を内部へ入射させるための開口部を備えた筐体と、
前記筐体に設けられ、前記開口部を閉鎖する閉鎖位置と前記開口部を開放する開放位置との間を移動可能とされた開口部カバーと、
を備え、
前記開口部カバーは、撮像用レンズユニットが装着される際に、この撮像用レンズユニットに押されて前記閉鎖位置から前記開放位置へ移動可能とされていること、を特徴とする撮像装置。
【請求項２】
前記開口部カバーを、前記撮像用レンズユニットが取り外される動作に連動して前記開放位置から前記閉鎖位置へ移動させる移動部材、をさらに備えたことを特徴とする、請求項１に記載の撮像装置。
【請求項３】
前記開口部カバーを前記開放位置と前記閉鎖位置との間を前記筐体に沿って移動可能に案内するガイド部材、をさらに備えたことを特徴とする請求項１または請求項２に記載の撮像装置。
【請求項４】
被写体からの光を結像可能な撮像用レンズユニットと、
前記撮像用レンズユニットを着脱可能とされ、この撮像用レンズユニットからの光を内部へ入射させるための開口部を備えた筐体と、
前記筐体に設けられ、前記開口部を閉鎖する閉鎖位置と前記開口部を開放する開放位置との間を移動可能とされた開口部カバーと、
を備え、
前記開口部カバーは、前記撮像用レンズユニットが装着される際に、この撮像用レンズユニットに押されて前記閉鎖位置から前記開放位置へ移動可能とされていること、を特徴とする撮像装置。
【請求項５】
前記開口部カバーを、前記撮像用レンズユニットが取り外される動作に連動して前記開放位置から前記閉鎖位置へ移動させる移動部材、をさらに備えたことを特徴とする、請求項４に記載の撮像装置。
【請求項６】
前記開口部カバーを前記開放位置と前記閉鎖位置との間を前記筐体に沿って移動可能に案内するガイド部材、をさらに備えたことを特徴とする請求項４または請求項５に記載の撮像装置。
【請求項７】
前記撮像用レンズユニットは、入射された光の光軸を偏向する偏向手段を備えたことを特徴とする請求項４乃至請求項６のいずれか１項に記載の撮像装置。
【請求項８】
撮像素子を有する撮像用レンズユニットを着脱可能な撮像装置であって、
前記撮像用レンズユニットで撮像された画像情報を受信するためのコネクタを備えた筐体と、
前記筐体に設けられ、前記コネクタを覆うカバー位置と前記コネクタを開放する開放位置との間を移動可能とされたコネクタカバーと、
を備え、
前記コネクタカバーは、撮像用レンズユニットが装着される際に、この撮像用レンズユニットに押されて前記カバー位置から前記開放位置へ移動可能とされていること、を特徴とする撮像装置。
【請求項９】
前記コネクタカバーを、前記撮像用レンズユニットが取り外される動作に連動して前記開放位置から前記カバー位置へ移動させる移動部材、をさらに備えたことを特徴とする、請求項８に記載の撮像装置。
【請求項１０】
前記コネクタカバーを前記開放位置と前記カバー位置との間を前記筐体に沿って移動可能に案内するガイド部材、を備えたことを特徴とする請求項８または請求項９に記載の撮像装置。
【請求項１１】
撮像された画像情報を外部機器へ送信可能な送信手段をさらに備えたことを特徴とする請求項１乃至請求項１０のいずれか１項に記載の撮像装置。
【発明の詳細な説明】
【０００１】
【発明の属する技術分野】
本発明は撮像装置に係り、特に、撮像用レンズユニットの着脱が可能とされた撮像装置に関する。
【０００２】
【従来の技術】
レンズ交換式一眼レフカメラのように、撮像用レンズユニットの着脱が可能とされた撮像装置では、撮像用レンズユニットが取り外された状態の時に、撮像装置本体のと撮像用レンズユニットとの接合部分に設けられた開口部から、撮像装置本体の内部に、ごみ、ほこり等の異物が入らないようにするのが好ましい。特に、撮像素子を用いて画像を取り込むデジタルカメラでは、撮像素子にごみ等が付着すると、ごみの付着した部分の撮像素子では適正に受光できなくなり、以後取り込んだ画像には常に不具合が生じることとなるので、その必要性は高い。また、撮像用レンズユニットが撮像素子を備えたものである場合には、撮像用レンズユニットと撮像装置との間のコネクタ部分にごみ等が付着するのを防止する必要がある。
【０００３】
異物が入ったり、付着したりするのを防止するために、特許文献１には、開口部に開閉可能な防塵カバーが設けられたビデオカメラが開示されている。しかしながら、この技術では、交換レンズは使用者の手によって防塵カバーが開放された後に装着される。したがって、開口部が開放された後交換レンズが装着されるまでの間に異物が入ってしまうことがある。
【０００４】
また、特許文献２には、カメラ本体の開口部に、内部空間の気密を常時保持する透明カバーを備えた電子カメラ装置が記載されている。この発明によれば、確かに内部に異物が入るのを防止することはできる。
【０００５】
しかしながら、このカバーは撮影時にも装着されているため、光学的なロスや反射などの影響があり、取り込み画像に影響を与えるという問題があった。
【０００６】
【特許文献１】
実開平２−２３１７０号公報
【特許文献２】
特開２０００−２４１８６９号公報
【０００７】
【発明が解決しようとする課題】
本発明は、上記問題点を解消するために成されたものであり、撮像用レンズユニットが取り外された状態において、撮像装置の所定部分に異物が入ったり付着するのを抑制すると共に、光学的な悪影響の少ない、撮像装置を提供することを目的とする。
【０００８】
【課題を解決するための手段】
上記目的を達成するために、第１発明の撮像装置は、請求項１に記載のように、撮像用レンズユニットを着脱可能な撮像装置であって、撮像用レンズユニットからの光を内部へ入射させるための開口部を備えた筐体と、前記筐体に設けられ、前記開口部を閉鎖する閉鎖位置と前記開口部を開放する開放位置との間を移動可能とされた開口部カバーと、を備え、前記開口部カバーは、撮像用レンズユニットが装着される際に、この撮像用レンズユニットに押されて前記閉鎖位置から前記開放位置へ移動可能とされていること、を特徴とするものである。
【０００９】
また、第２の発明の撮像装置は、請求項４に記載のように、被写体からの光を結像可能な撮像用レンズユニットと、前記撮像用レンズユニットを着脱可能とされ、この撮像用レンズユニットからの光を内部へ入射させるための開口部を備えた筐体と、前記筐体に設けられ、前記開口部を閉鎖する閉鎖位置と前記開口部を開放する開放位置との間を移動可能とされた開口部カバーと、を備え、前記開口部カバーは、前記撮像用レンズユニットが装着される際に、この撮像用レンズユニットに押されて前記閉鎖位置から前記開放位置へ移動可能とされていること、を特徴とするものである。
【００１０】
第１、及び第２の発明の撮像装置では、開口部カバーは、前記開口部を閉鎖する閉鎖位置と前記開口部を開放する開放位置との間を移動可能とされている。そこで、撮像用レンズユニットが撮像装置から取り外されている状態においては、開口部カバーを、閉鎖位置へ移動させることにより開口部を閉鎖することができる。これにより、開口部から筐体内に異物が入るのを抑制することができる。また、撮像用レンズユニットが撮像装置に装着されている状態では、開口部カバーを開放位置へ位置させて、開口部を開放状態とすることができる。これにより、撮像用レンズユニットからの光は、開放された開口部を通過して直接撮像装置本体内に入射されるので、開口部に透明ガラス等配置したものと比較して、光学的ロスや反射などの光学的悪影響を少なくすることができる。さらに、開口部カバーは、撮像用レンズユニットの装着により開放されるので、開口部カバーの開放後、撮像用レンズユニットの装着までの間に筐体内に異物が入るのを抑制することができる。また、開口部カバーの開放を単独の動作で行う必要がなくなり、利便性が向上する。
【００１１】
なお、撮像装置には、デジタルカメラ、フィルム式カメラ（銀塩カメラ）、ビデオカメラなどの他に、カメラ付き携帯電話、、「ＰＤＡ」と称される個人情報機器（Ｐｅｒｓｏｎａｌ　Ｄｉｇｉｔａｌ　Ａｓｓｉｓｔａｎｔ）なども含まれる。
【００１２】
第１、及び第２の発明の撮像装置は、各々請求項２、及び請求項５に記載のように、前記開口部カバーを、前記撮像用レンズユニットが取り外される動作に連動して前記開放位置から前記閉鎖位置へ移動させる移動部材、をさらに備えたことを特徴とすることもできる。
【００１３】
ここで、移動部材としては、開口部カバーを開放位置から閉鎖位置へ向かって付勢可能な、ばね、ゴム等の弾性力を有する部材を使用することができる。
【００１４】
上記構成によれば、移動部材により、前記開口部カバーは、撮像用レンズユニットが取り外される動作に連動して自動的に前記開放位置から前記閉鎖位置へ移動されるので、開口部カバーの閉鎖を手動で行う必要がなくなり、利便性が向上する。
【００１５】
また、第１、及び第２の発明の撮像装置は、各々、請求項３及請求項６に記載のように、前記開口部カバーを前記開放位置と前記閉鎖位置との間を前記筐体に沿って移動可能に案内するガイド部材、をさらに備えたことを特徴とすることもできる。
【００１６】
このように、ガイド部材を備えることにより、開口部カバーの開閉をスムーズに行うことができる。
【００１７】
また、第２の発明の撮像装置は、請求項７に記載のように、前記撮像用レンズユニットは、入射された光の光軸を偏向する偏向手段を備えたことを特徴とすることもできる。
【００１８】
上記構成によれば、偏向手段により、前記撮像用レンズユニットへ入射された光が偏向されるので、前記撮像用レンズユニットへ入射された光軸と、撮像装置の開口部に入射される光の光軸とが一致されている必要がなく、開口部を自由な位置に設けることができ、設計の自由度を高くすることができる。
【００１９】
第３の発明の撮像装置は、請求項８に記載のように、撮像素子を有する撮像用レンズユニットを着脱可能とされた撮像装置であって、前記撮像用レンズユニットで撮像された画像情報を受信するためのコネクタを備えた筐体と、前記筐体に設けられ、前記コネクタを覆うカバー位置と前記コネクタを開放する開放位置との間を移動可能とされたコネクタカバーと、を備え、　前記コネクタカバーは、撮像用レンズユニットが装着される際に、この撮像用レンズユニットに押されて前記カバー位置から前記開放位置へ移動可能とされていること、を特徴とするものである。
【００２０】
第３の発明の撮像装置では、コネクタカバーは、前記コネクタを覆うカバー位置と前記コネクタを開放する開放位置との間を移動可能とされている。そこで、撮像用レンズユニットが撮像装置から取り外されている状態においては、コネクタカバーを、カバー位置へ移動させることによりコネクタを覆うことができる。これにより、コネクタへ異物が付着するのを抑制することができる。また、コネクタカバーは、撮像用レンズユニットの装着により開放されるので、コネクタカバーの開放後、撮像用レンズユニットの装着までの間にコネクタに異物が付着するのを抑制することができる。　また、コネクタカバーの開放を単独の動作で行う必要がなくなり、利便性が向上する。
【００２１】
なお、第３の撮像装置にも、デジタルカメラ、フィルム式カメラ（銀塩カメラ）、ビデオカメラなどの他に、カメラ付き携帯電話、、「ＰＤＡ」と称される個人情報機器（Ｐｅｒｓｏｎａｌ　Ｄｉｇｉｔａｌ　Ａｓｓｉｓｔａｎｔ）などが含まれる。
【００２２】
なお、第３の発明の撮像装置は、請求項９に記載のように、前記コネクタカバーを、前記撮像用レンズユニットが取り外される動作に連動して前記開放位置から前記カバー位置へ移動させる移動部材、をさらに備えたことを特徴とすることもできる。
【００２３】
上記構成によれば、移動部材により、前記コネクタカバーは、撮像用レンズユニットが取り外される動作に連動して自動的に前記開放位置から前記カバー位置へ移動されるので、コネクタカバーの閉鎖を手動で行う必要がなくなり、利便性が向上する。
【００２４】
また、第３の発明の撮像装置は、請求項１０に記載のように、前記コネクタカバーを前記開放位置と前記カバー位置との間を前記筐体に沿って移動可能に案内するガイド部材、を備えたことを特徴とすることもできる。
【００２５】
このように、ガイド部材を備えることにより、コネクタカバーの開閉をスムーズに行うことができる。
【００２６】
また、第１、第２、第３の発明の撮像装置は、請求項１１に記載のように、撮像された画像情報を外部機器へ送信可能な送信手段をさらに備えることにより、高い利便性を得ることができる。
【００２７】
【発明の実施の形態】
以下、図面を参照して本発明の実施の形態について説明する。なお、本発明の撮像装置として、以下ではデジタルカメラを例にして説明する。
［第１実施形態］
本実施の形態の撮像装置としてのカメラ１０は、　図１及び図２に示すように、カメラ本体１２及びレンズユニット３０を備える。カメラ本体１２の筐体１４の前面には、カメラ本体１２の内部の図示しない撮像素子へ光を透過させるための開口部１６が構成されている。開口部１６の外側には、開口部カバー１８、及びガイド部材２０が配置されている。ガイド部材２０には、開口部１６に対応する位置にＵ字状の切れ込み、Ｕ字部２０Ａが形成されており、Ｕ字部２０Ａの径は、開口部１６の径よりも大きく、開口部１６への光の入射を妨げないサイズとされている。ガイド部材２０の、Ｕ字部２０Ａよりも下側の部分と筐体４４との間には、開口部カバー１８がこの間へ移動可能な空間が形成されている。ガイド部材２０の両側部内側と筐体４４との間には、上下方向に、ガイド溝２２が形成されている。ガイド溝２２には開口部カバー１８の両側端部が係合され、開口部カバー１８は、ガイド溝２２に沿って、開口部１６を閉鎖する閉鎖位置Ｐ１（図３（Ａ）参照）と開口部１６を開放するガイド部材２０下側の開放位置Ｐ２（図３（Ｂ）参照）との間を移動可能とされている。開口部カバー１８は、ガイド部材２０及び後述するレンズユニット３０の取付用部材３２によって、開放位置Ｐ２に保持される構造となっている。
【００２８】
ガイド溝２２の内側にはピン状の係合部材２４が設けられ、開口部カバー１８の２つの側端面には係合部材２４が係合可能な係合孔２６（片側の係合孔２６は図示省略）が穿孔されている。係合部材２４は、図示しない付勢手段によって、ガイド溝２２の内側面からこの面よりも突出する突出位置へ向かって付勢され、係合孔２６に入り込むことにより係合孔２６と係合して、開口部カバー１８を閉鎖位置Ｐ１に固定している。また、係合部材２４は、ガイド部材２０の外側に設けられたリリースボタン２５を押下することによりガイド溝２２の内側面から引っ込んで、係合孔２６との係合が解除される構成とされている。
【００２９】
開口部カバー１８の両側端部の下側には、ガイド溝２２に沿って、移動部材としての２本のコイルスプリング２８が配置されている。コイルスプリング２８は、一端がガイド部材２０の底側に固定され、他端が開口部カバー１８の下端面に固定されている。開口部カバー１８は、コイルスプリング２８の伸びの力により、開放位置Ｐ２から閉鎖位置Ｐ１へ向かって付勢されている。なお、開口部カバー１８は、図示しない阻止部材により、閉鎖位置Ｐ１から上方向への移動が阻止されている。
【００３０】
レンズユニット３０は、撮影用のレンズ３１、及び２つの取付用部材３２を備える。取付用部材３２は、カメラ本体１２への装着側の側部に配置され、ガイド溝２２に係合可能とされている。取付用部材３２が係合された状態においてレンズユニット３０は、ガイド溝２２に沿って移動可能とされている。
【００３１】
取付用部材３２の端面には、係合部材２４と係合可能な係合孔３４が穿孔されている。係合部材２４は、前述の係合孔２６の場合と同様に係合孔３４と係合して、レンズユニット３０を開口部１６を閉鎖する位置、すなわち、レンズユニット３０の装着位置（図３（Ｂ）参照）に固定している。また、係合部材２４は、リリースボタン２５を押下することによりガイド溝２２の表面から引っ込んで、係合孔３４との係合が解除される構成とされている。
【００３２】
カメラ本体１２の開口部１６の上側とレンズユニット３０の装着面上側には、各種接点１７が設けられ（レンズ側の接点は図示省略）、互いに対応する接点が接続されることにより、カメラ本体１２とレンズユニット３０とは電気的に接続可能とされている。
【００３３】
次に、本実施の形態の作用について説明する。
【００３４】
レンズユニット３０が取り外されている状態では、係合部材２４と係合孔２６とが係合され、開口部カバー１８は、閉鎖位置Ｐ１に固定されている（図３（Ａ）参照）。レンズユニット３０を装着する際には、ユーザーは、リリースボタン２５を押して、係合部材２４と係合孔２６との係合を解除する。そして、取付部材３２をガイド溝２２に係合させ、レンズユニット３０をガイド溝２２に沿って、下側に移動させる。このとき、レンズユニット３０は開口部カバー１８の上端面に当接され、開口部カバー１８も、コイルスプリング２８の伸び力に抗して押し下げられる。レンズユニット３０の係合孔３４が係合部材２４の位置まで移動されると、係合孔３４に係合部材２４が入り込み、係合孔３４と係合部材２４とが係合して、レンズユニット３０がカメラ本体１２に装着される。このとき、開口部カバー１８は、開放位置Ｐ２へ移動され、この位置に固定されている。
【００３５】
レンズユニット３０を取り外す際には、ユーザーは、リリースボタン２５を押して、係合部材２４と係合孔３４との係合を解除する。そして、レンズユニット３０を、ガイド溝２２に沿って上側に移動させ、ガイド溝２２との係合を解く。このとき、開口部カバー１８は、コイルスプリング２８によって開放位置Ｐ２から閉鎖位置Ｐ１へ付勢されているので、レンズユニット３０と共にガイド溝２２に沿って上側に移動する。そして、係合孔２６が係合部材２４の位置まで移動されると、係合孔２６に係合部材２４が入り込み、開口部カバー１８が閉鎖位置Ｐ１に固定される。
【００３６】
本実施の形態によれば、レンズユニット３０がカメラ本体１２から取り外されている状態では、開口部カバー１８が閉鎖位置に固定されているので、カメラ本体内１２の内部にごみやほこり等の異物が入るのを抑制することができる。また、レンズユニット３０がカメラ本体１２に装着されている状態では、開口部カバー１８は開放位置へ移動されて開口部１６が開放されている。したがって、レンズユニット３０からの光は、開放された開口部１６を通過して直接カメラ本体１２内に入射されるので、開口部に透明ガラス等配置したものと比較して、光学的ロスや反射などの影響が少なくなり、光学的悪影響を排除することができる。
【００３７】
なお、レンズユニット３０がカメラ本体１２に装着されている状態では、開口部１６は、レンズユニット３０により閉鎖されているので、開口部１６から異物が入らないのはもちろんである。
【００３８】
また、開口部カバー１８は、レンズユニット３０に押されて開放位置Ｐ２へ移動するので、開口部カバー１８を開放位置Ｐ２へ移動させる動作を単独で行う必要がなく、利便性が向上する。
【００３９】
また、本実施形態では、コイルスプリング２８を設けたので、レンズユニット３０を取り外すと、開口部カバー１８がコイルスプリング２８の付勢力により自動的に開放位置Ｐ２から閉鎖位置Ｐ１へ移動されるので、高い利便性を得ることができる。
［第２実施形態］
本実施の形態では、第１実施形態と同様の部分については同一の符号を付し、詳細な説明は省略する。
【００４０】
本実施の形態の撮像装置としてのカメラ４０は、図４に示すように、直方体状のカメラ本体４２及びレンズユニット６０を備える。カメラ本体４２の筐体４４の側面中央部には、カメラ本体４２の内部の図示しない撮像素子へ光を透過させるための開口部４６が構成されている。開口部４６の外側には、開口部カバー１８が配置され、開口部４６の構成された筐体４４の側面の両端辺及び下端辺に沿った位置には、ガイド部材５０が配置されている。ガイド部材５０には、ガイド部材５０の内側に沿った上下方向に、ガイド溝５２が形成されている。ガイド溝５２には開口部カバー１８の両側端部が係合され、開口部カバー１８は、ガイド溝５２に沿って、開口部４６を閉鎖する閉鎖位置Ｐ３と開口部４６を開放する開放位置Ｐ４との間を移動可能とされている。開口部カバー１８は、ガイド部材５０及びレンズユニット６０の取付部５４によって、開放位置Ｐ４に保持される構造となっている。
【００４１】
ガイド溝５２の内側にはピン状の係合部材２４が設けられ、開口部カバー１８の２つの側端面には係合部材２４が係合可能な係合孔２６が穿孔されている。
【００４２】
開口部カバー１８の両側端部の下側には、ガイド溝５２に沿って２本のコイルスプリング２８が配置されている。コイルスプリング２８は、一端がガイド部材５０の底面に固定され、他端が開口部カバー１８の下端面に固定されている。開口部カバー１８は、コイルスプリング２８により、開放位置Ｐ４から閉鎖位置Ｐ３へ向かって付勢されている。なお、開口部カバー１８は、図示しない阻止部材により、閉鎖位置Ｐ３から上方向への移動が阻止されている。
【００４３】
レンズユニット６０には、図４に示すように、カメラ本体４２への装着側の両側辺に、ガイド溝５２に係合可能な取付部５４が形成されている。取付部５４は、レンズユニット６０の上端から、レンズユニット６０がカメラ本体４０に装着された状態（以下「装着状態」という）で開口部カバー１８を開放位置Ｐ４まで押し下げ可能な位置にわたって形成されている。
【００４４】
レンズユニット６０は、取付部５４がガイド溝５２に係合された状態において、ガイド溝５２に沿って移動可能とされている。レンズユニット６０は、前面上側に、光を取り込むレンズ窓５６を備え、カメラ本体４２への装着面の中央部の、装着状態における開口部４６に対応する位置に、カメラ４２本体へ光を出射する出力口５８を備える。
【００４５】
レンズユニット６０の内部には、図５に示すように、レンズ窓５６から取り込んだ光を９０°屈曲させる第１屈曲部材６２、複数のレンズの組み合わせで構成されるレンズ６４、及び、光を９０°屈曲させて出力口５８から出射する第２屈曲部材６６、が備えられている。
【００４６】
取付部５４の側端面には、係合部材２４と係合可能な係合孔３４が穿孔されている。係合部材２４は、前述の係合孔２６の場合と同様に係合孔３４と係合して、レンズユニット６０を、開口部４６を閉鎖する位置、すなわち、レンズユニット６０の装着位置に固定している。また、ガイド部材５０の外側にはリリースボタン２５が設けられ、係合部材２４は、リリースボタン２５を押下することによりガイド溝５２の内側面から引っ込んで、係合孔３４との係合が解除される構成とされている。
【００４７】
次に、本実施の形態の作用について説明する。
【００４８】
レンズユニット６０が取り外されている状態では、係合部材２４と係合孔２６とが係合され、開口部カバー１８は、閉鎖位置Ｐ３に固定されている。レンズユニット６０を装着する際には、ユーザーは、リリースボタン２５を押して、係合部材２４と係合孔２６との係合を解除する。そして、取付部５４の下側を、ガイド溝５２の上側に係合させ、レンズユニット３０をガイド溝５２に沿って下側に移動させる。レンズユニット６０が下側に移動され、取付部材５４の下側が開口部カバー１８の上端面に当接されると、開口部カバー１８もコイルスプリング２８の伸び力に抗して押し下げられる。そして、レンズユニット６０の係合孔３４が係合部材２４の位置まで移動されると、係合孔３４に係合部材２４が入り込み、係合孔３４と係合部材２４とが係合して、レンズユニット３０がカメラ本体１２に装着される。このとき、開口部カバー１８は、開放位置Ｐ４へ移動され、この位置に保持される。
【００４９】
レンズユニット６０を取り外す際には、ユーザーは、リリースボタン２５を押して、係合部材２４と係合孔３４との係合を解除する。そして、レンズユニット６０を、ガイド溝５２に沿って上側に移動させ、取付部５４とガイド溝５２との係合を解く。このとき、開口部カバー１８は、コイルスプリング２８によって開放位置Ｐ４から閉鎖位置Ｐ３へ付勢されているので、レンズユニット６０と共にガイド溝５２に沿って上側に移動に移動する。そして、係合孔２６が係合部材２４の位置まで移動されると、係合孔２６に係合部材２４が入り込み、開口部カバー１８が閉鎖位置Ｐ３に固定される。
【００５０】
本実施の形態によれば、第１実施形態と同様の効果を得ることができる。
［第３実施形態］
本実施の形態では、第１、第２実施形態と同様の部分については同一の符号を付し、詳細な説明は省略する。
【００５１】
第２実施形態では、レンズユニット６０が、カメラ本体４２上側から装着される構成であったが、本実施の形態では、レンズユニット６０が、カメラ本体４２下側から装着される構成になっている。
【００５２】
撮像装置としてのカメラ７０は、図６に示すように、直方体状のカメラ本体４２を備える。カメラ本体４２の筐体４４の側面下側には、カメラ本体４２内部の図示しない撮像素子へ光を透過させるための開口部４６が構成されている。開口部４６の外側には、開口部カバー１８が配置され、筐体４４の、開口部４６が構成された側面の両端辺及び上端辺に沿った位置には、ガイド部材５０が配置されている。
【００５３】
開口部カバー１８の両側端部の上側には、ガイド溝５２に沿って２本のコイルスプリング２８が配置されている。コイルスプリング２８は、一端がガイド部材５０の上面に固定され、他端が開口部カバー１８の上端面に固定されている。開口部カバー１８は、コイルスプリング２８により、開放位置Ｐ４から閉鎖位置Ｐ３へ向かって付勢されている。なお、開口部カバー１８は、図示しない阻止部材により、閉鎖位置Ｐ３から下方向への移動が阻止されている。
【００５４】
レンズユニット８０には、図６に示すように、カメラ本体４２への装着側の両側辺に、ガイド溝５２に係合可能な取付部５４が形成されている。レンズユニット８０側の取付部５４は、レンズユニット８０の下端から、装着状態で開口部カバー１８を開放位置Ｐ４まで押し上げ可能な位置にわたって形成されている。
【００５５】
取付レンズユニット８０は、カメラ本体４２への装着面の下側部の、装着状態における開口部４６に対応する位置に、カメラ４２本体へ光を出射する出力口５８を備える。
【００５６】
レンズユニット８０の内部には、図７に示すように、レンズ窓５６から取り込んだ光を９０°屈曲させる第１屈曲部材６２、複数のレンズの組み合わせで構成されるレンズ６４、及び、光を９０°屈曲させて出力口５８から出力する第２屈曲部材６６、が備えられている。第２屈曲部材６６は、第３実施形態での位置よりも下側とされているが、これは、開口部４６、及び、出力口５８が、第３実施形態よりも下側に形成されているためである。
【００５７】
次に、本実施の形態の作用について説明する。
【００５８】
レンズユニット８０が取り外されている状態では、係合部材２４と係合孔２６とが係合され、開口部カバー１８は、閉鎖位置Ｐ３に固定されている（図６参照）。レンズユニット８０を装着する際には、ユーザーは、リリースボタン２５を押して、係合部材２４と係合孔２６との係合を解除する。そして、取付部５４の上側を、ガイド溝５２の下側に係合させ、レンズユニット８０をガイド溝５２に沿って上側に移動させる。このとき、取付部材５４の上側は開口部カバー１８の下端面に当接され、開口部カバー１８もレンズユニット８０と共に上側へ押し上げられる。そして、レンズユニット８０の係合孔３４が係合部材２４の位置まで移動されると、係合孔３４に係合部材２４が入り込み、係合孔３４と係合部材２４とが係合して、レンズユニット８０がカメラ本体１２に装着される。このとき、開口部カバー１８は、開放位置Ｐ４へ移動され、この位置に保持される。
【００５９】
レンズユニット８０を取り外す際には、ユーザーは、第２実施形態と同様の手順で、レンズユニット８０をガイド溝５２に沿って下側に移動させ、取付部５４とガイド溝５２との係合を解く。このとき、開口部カバー１８は、コイルスプリング２８によって開放位置Ｐ４から閉鎖位置Ｐ３へ付勢されているので、レンズユニット８０と共にガイド溝５２に沿って下側に移動に移動される。そして、係合孔２６が係合部材２４の位置まで移動されると、係合孔２６に係合部材２４が入り込み、開口部カバー１８が閉鎖位置Ｐ３に固定される。
【００６０】
本実施の形態によれば、第２実施形態と同様の効果を得ることができる。また、開口部４６がカメラ本体４２側面の下側に形成されているので、出力口５８をレンズユニット８０の下側に形成することができ、出力口７８をレンズユニット８０の中央部に形成した場合と比較して、光路長を長く取ることができる。
［第４実施形態］
本実施の形態では、第１〜３実施形態と同様の部分については同一の符号を付し、詳細な説明は省略する。
【００６１】
本実施の形態の撮像装置としてのカメラ９０は、図８に示すように、カメラ本体９２を備える。カメラ本体９２の、後述するレンズユニット１００の装着される装着面９４の上側には、取付ねじ９８が設けられている。取付ねじ９８は、後述するレンズユニット１００の取付孔１０２に係合可能なねじ部９８Ａと、筐体４４から一部露出したダイヤル部９８Ｂにより構成されている。ねじ部９８Ａは、ダイヤル部９８Ｂが下方向に回されることにより、取付孔１０２に係合される方向に回転し、ダイヤル部９８Ｂが上方向に回されることにより、取付孔１０２との係合が解除される方向に回転する。
【００６２】
装着面９４の下側には、この装着面９４から突出して撮像素子格納部９６が形成されている。撮像素子格納部９６の内部には、撮像素子８８（図９参照）が格納され、撮像素子格納部９６の上面には、撮像素子８８へ光を透過させるための開口部４６が構成されている。
【００６３】
開口部４６の外側には、開口部カバー１８が配置され、撮像素子格納部９６の両端辺からカメラ本体９２内へかけて、ガイド部材５０が配置されている。ガイド部材５０には、ガイド部材５０の内側に沿った水平方向に、ガイド溝５２が形成されている。ガイド溝５２には開口部カバー１８の両側端部が係合され、開口部カバー１８は、ガイド溝５２Ａに沿って、開口部４６を閉鎖する閉鎖位置Ｐ５と開口部４６を開放するカメラ本体９２内部の開放位置Ｐ６との間を移動可能とされている。開口部カバー１８は、ガイド部材５０及び後述するレンズユニット１００の取付部５４によって、開放位置Ｐ６に保持される構造となっている。
【００６４】
係合部材２４、リリースボタン２５、及び、係合孔２６については、第２、３実施形態と同様であるので詳細な説明は省略する。
【００６５】
開口部カバー１８の装着側端面中央部には、ガイド溝５２に沿ってコイルスプリング２８が配置されている。コイルスプリング２８は、一端がガイド部材５０の奥側面に固定され、他端が開口部カバー１８のカメラ本体９２側端面中央部に固定されている。開口部カバー１８は、コイルスプリング２８により、開放位置Ｐ６から閉鎖位置Ｐ５へ向かって付勢されている。なお、開口部カバー１８は、図示しない阻止部材により、閉鎖位置Ｐ５から外方向への移動が阻止されている。
【００６６】
レンズユニット１００には、図８示すように、下面の前辺及び後辺に、ガイド溝５２に係合可能な取付部５４が形成されている。
【００６７】
レンズユニット１００は、取付部５４がガイド溝５２に係合された状態において、ガイド溝５２に沿って移動可能とされている。レンズユニット１００は、前面上側に、光を取り込むレンズ窓５６を備え、下面中央部に、カメラ４２本体へ光を出射する出力口５８を備える。
【００６８】
レンズユニット１００の内部には、図９に示すように、レンズ窓５６から取り込んだ光を９０°屈曲させる第１屈曲部材６２、及び、複数のレンズの組み合わせで構成されるレンズ６４が備えられている。レンズユニット１００内では、取り込まれた光は１度だけ９０°屈曲され、この光はレンズユニット１００の下方向に出力される点で、取り込んだ光が２度屈曲される、第２、第３実施形態のレンズユニット６０、８０と異なる。
【００６９】
取付部５４の側端面には、係合部材２４と係合可能な係合孔３４が穿孔されている。係合部材２４は、前述の係合孔２６の場合と同様に係合孔３４と係合して、レンズユニット１００を、開口部４６を閉鎖する位置Ｐ６、すなわち、レンズユニット１００の装着位置に固定可能としている。また、ガイド部材５０の外側にはリリースボタン２５が設けられ、係合部材２４は、リリースボタン２５を押下することによりガイド溝５２の内側面から引っ込んで、係合孔３４との係合が解除される構成とされている。
【００７０】
次に、本実施の形態の作用について説明する。
【００７１】
レンズユニット１００が取り外されている状態では、係合部材２４と係合孔２６とが係合され、開口部カバー１８は、閉鎖位置Ｐ５に固定されている（図８参照）。レンズユニット１００を装着する際には、ユーザーは、リリースボタン２５を押して、係合部材２４と係合孔２６との係合を解除する。そして、取付部５４の装着側を、ガイド溝５２に係合させ、レンズユニット１００をガイド溝５２に沿ってカメラ本体９２側へ移動させる。このとき、開口部カバー１８は、端面１８Ａが、取付部５４の装着面に押され、ガイド溝５２に沿ってカメラ本体９２内部方向へ移動される。そして、レンズユニット１００の係合孔３４が係合部材２４の位置まで移動されると、係合孔３４に係合部材２４が入り込み、係合孔３４と係合部材２４とが係合して、レンズユニット３０がカメラ本体９２に装着される。このとき、開口部カバー１８は、開放位置Ｐ６へ移動され、この位置に保持される。
【００７２】
レンズユニット１００を取り外す際には、ユーザーは、第２、３実施形態と同様の手順で、レンズユニット１００をガイド溝５２に沿ってカメラ本体９２から離れる方向へ移動させ、取付部５４とガイド溝５２との係合を解く。このとき、開口部カバー１８は、コイルスプリング２８によって開放位置Ｐ６から閉鎖位置Ｐ５へ付勢されているので、レンズユニット１００と共にガイド溝５２に沿ってカメラ本体９２の外側へ移動する。そして、係合孔２６が係合部材２４の位置まで移動されると、係合孔２６に係合部材２４が入り込み、開口部カバー１８が閉鎖位置Ｐ５に固定される。
【００７３】
本実施の形態によれば、第３実施形態と同様の効果を得られる。また、撮像素子がレンズ６４の光軸上に配置されているので、レンズ６４を透過した後の光を屈曲させる必要がなく、より簡易な構成とすることができる。
【００７４】
なお、上記第１〜４実施形態においては、コイルスプリング２８を設けて、開口部カバー１８を開放位置から閉鎖位置へ向かって付勢したが、コイルスプリング２８は必ずしも必要ではなく、手動で開口部カバー１８を開放位置から閉鎖位置へ移動させて、開口部を閉鎖することもできる。特に、コイルスプリング２８が設けられていることにより、開口部カバー１８を、レンズユニットが取り外される動作に連動して開放位置から閉鎖位置へ移動することができ、利便性が向上する。
［第５実施形態］
本実施の形態では、第１〜４実施形態と同様の部分については同一の符号を付し、詳細な説明は省略する。
【００７５】
本実施の形態の撮像装置としてのカメラ１１０は、図１０に示すように、直方体状のカメラ本体１１２を備える。カメラ本体１１２の筐体１１４の側面下部には、開口部カバーとしての蓋用部材１１６が設けられている。蓋用部材１１６は、ピン１１８によって下辺部が固定され、ピン１１８を中心にしてＸ方向へ回転可能となっている。蓋用部材１１６の両側端面には、係合孔１２０が穿孔され、筐体１１４に設けられた係合部材１２２がここへ入り込むことによって、蓋用部材１１６は、閉鎖位置としての格納位置Ｐ７へ固定可能とされている。格納位置Ｐ７は、図１１に示すように、蓋用部材１１６が、筐体１１４に沿った位置からやや斜めに傾斜して格納される位置であり、蓋用部材１１６の下側が筐体４４の外面よりも内側に入り、蓋用部材１１６の上側が筐体４４の外面よりも外側に出ている位置である。また、蓋用部材１１６は、格納位置Ｐ７で上端辺が上部から押されることにより、Ｘ方向へ回転して、開放位置Ｐ８へ移動可能とされている。蓋用部材１１６は、ピン１１８によって、開放位置Ｐ８に保持される構造となっている。蓋用部材１１６の内部には、撮像素子８８が格納され、蓋用部材１１６の開放位置Ｐ８での上側には、撮像素子８８へ光を透過させるための開口部４６が構成されている。蓋用部材１１６の設けられた筐体４４の側面の両端辺には、上端部から格納位置Ｐ７にある蓋用部材９６の上側にかけて、ガイド部材５０が配置されている。ガイド部材５０には、ガイド部材５０の内側に沿った上下方向に、ガイド溝５２が形成されている。
【００７６】
ガイド溝５２の内側にはピン状の係合部材２４が設けられ、後述する係合孔３４と係合可能とされている。
【００７７】
レンズユニット１２０には、図１０に示すように、カメラ本体１１２への装着面に、ガイド溝５２に係合可能な取付部５４が形成されている。
【００７８】
レンズユニット１２０は、取付部５４がガイド溝５２に係合された状態において、ガイド溝５２に沿って移動可能とされている。レンズユニット１２０のその他の構成については、第４実施形態と同様である。
【００７９】
取付部５４の側端面には、係合部材２４と係合可能な係合孔３４が穿孔されている。係合部材２４は、前述の係合孔２６の場合と同様に係合孔３４と係合して、レンズユニット１２０を、開口部４６を閉鎖する位置、すなわち、レンズユニット１２０の装着位置に固定している。また、ガイド部材５０の外側にはリリースボタン２５が設けられ、係合部材２４は、リリースボタン２５を押下することによりガイド溝５２の内側面から引っ込んで、係合孔３４との係合が解除される構成とされている。
【００８０】
次に、本実施の形態の作用について説明する。
【００８１】
レンズユニット１２０が取り外されている状態では、係合部材１２２と係合孔１２０とが係合され、蓋用部材１１６は、閉鎖位置Ｐ７に固定されている（図１１（Ａ）参照）。レンズユニット６０を装着する際には、ユーザーは、リリースボタン２５を押して、係合部材２４をガイド溝５２の表面から引っ込める。そして、取付部５４の下側を、ガイド溝５２の上側に係合させ、レンズユニット１２０をガイド溝５２に沿って下側に移動させる。レンズユニット１２０が下側に移動されると、取付部材５４の下側が、蓋用部材１１６の上端部に当接される。ここで、レンズユニット１２０により蓋用部材１１６の上端部に下向きの力が加えられると、蓋用部材１１６は斜めに配置され、かつ下端部がピン１１８により固定されているので、Ｘ方向に回転する。そして、開放位置Ｐ８まで移動した位置（図１１（Ｂ）参照）で、係合部材２４が係合孔３４と係合して、レンズユニット１２０が装着される。
【００８２】
レンズユニット１２０を取り外す際には、ユーザーは、リリースボタン２５を押して、係合部材２４と係合孔３４との係合を解除する。そして、レンズユニット１２０を、ガイド溝５２に沿って上側に移動させ、取付部５４とガイド溝５２との係合を解く。そして、ユーザーは、蓋用部材１１６を手動で閉鎖位置Ｐ７へ移動させ、係合部材１２２と係合孔１２０とを係合させ、蓋用部材１１６を閉鎖位置Ｐ７に固定させる。
【００８３】
本実施の形態によれば、第２〜第４実施形態と同様の効果が得られる。さらに、蓋用部材１１６が閉鎖位置Ｐ７に収納可能とされているので、カメラ本体１２２は、第４実施形態のカメラ本体９２のように突出部がなく、携帯等の際の利便性に優れる。
【００８４】
なお、前記第１〜５実施形態では、出力口５８、７８は常時開口状態である構成としたが、出力口５８、７８には、カバーを設けることもできる。例えば、図１２（Ａ）に示すように、カバー１３０の一辺を固定具１３２で固定して、固定具１３２を中心に回転させて、カバー１３０を開閉を可能としたり、図１２（Ｂ）に示すように、カバー１３４を上下にスライドさせてカバー１３４を開閉可能することもできる。レンズユニット６０の装着時にはカバー１３０、１３４を開け、レンズユニット６０の未使用時には、カバー１３０、１３４を閉めて使用することにより、レンズユニット６０内にごみやほこりが入るのを防止することができる。
［第６実施形態］
本実施の形態では、第１〜５実施形態と同様の部分については同一の符号を付し、詳細な説明は省略する。
【００８５】
本実施の形態の撮像装置としてのカメラ２００は、図１３に示すように、直方体状のカメラ本体２０２及びレンズユニット２２０を備える。カメラ本体２０２の筐体２０４の１の側面には、撮影された画像を表示可能なディスプレイ２０３、及び、ユーザーにより各種の指示が入力される複数の入力ボタン２０５が備えられている。また、筐体２０４の他の側面には、リリースボタン２１２が設けられると共に、直方体状の凹部がコネクタ部２０６として形成されている。コネクタ部２０６の奥側壁２０７には、レンズユニット２２０で撮像された画像情報を受信するためのコネクタを含む複数のカメラ側コネクタ２０６Ｋ、及び、リリース用凸部材２１０が備えられている。リリース用凸部材２１０は、リリースボタン２１２と連動されており、リリース用凸部材２１０が押されるとリリースボタン２１２が筐体２０４から突出され、リリースボタン２１２が押されるとリリース用凸部材２１０が奥側壁２０７から突出されるようになっている。コネクタ部２０６の開口付近には、板状のコネクタカバー２０８が備えられている。コネクタカバー２０８は、筐体２０４とヒンジにより接続されており、図１４に実線で示すように、コネクタ２０６Ｋを覆うカバー位置Ｐ５と、一点鎖線で示すように、コネクタ２０６Ｋを開放する開放位置Ｐ６との間を移動可能とされている。また、コネクタカバー２０８は、ねじりコイルバネ２１１により、カバー位置Ｐ５方向へ付勢されている。
【００８６】
レンズユニット２２０は、図１３に示すように、コネクタ部２０６に挿入可能な直方体状とされており、撮影用のレンズ２２２、及び撮像素子２２４を備える。また、レンズユニット２２０は、カメラ側コネクタ２０６Ｋの各々と対応する位置に、撮像された画像情報を送信するためのコネクタを含む複数のレンズ側コネクタ２２６を備える。レンズ側コネクタ２２６は、カメラ側コネクタ２０６Ｋに嵌合可能とされている。この嵌合により、リリース用凸部材２１０が奥側壁２０７へ押し込まれて、リリースボタン２１２が筐体２０４から突出されるようになっている。
【００８７】
次に、本実施形態の作用について説明する。
【００８８】
図１４に示すように、レンズユニット２２０が取り外されている状態では、コネクタカバー２０８は、ねじりコイルバネ２１０により付勢され、カバー位置Ｐ５に配置されている。レンズユニット２２０を装着する際には、ユーザーは、レンズユニット２２０をコネクタ部２０６へ挿入する。このとき、コネクタカバー２０８は、レンズユニット２２０に押されて、カバー位置Ｐ５から開放位置Ｐ６へ移動される。レンズ側コネクタ２２６がカメラ側コネクタ２０６Ｋに嵌合されると、レンズユニット２２０はコネクタ部２０６に固定されると共に、リリース用凸部材２１０が押されてリリースボタン２１２が筐体１４から突出される。これにより、レンズユニット２２０の装着が完了する。
【００８９】
レンズユニット３０を取り外す際には、ユーザーは、リリースボタン２１２を押す。すると、リリース用凸部材２１０が奥側壁２０７から突出されて、レンズ側コネクタ２２２とカメラ側コネクタ２０６Ｋとの嵌合が解除される。ユーザーによりレンズユニット２２０がコネクタ部２０６から抜き出されて、レンズユニット３０が取り外される。このとき、コネクタカバー２０８は、ねじりコイルバネ２１０の付勢力により、開放位置Ｐ６からカバー位置へ移動される。
【００９０】
本実施の形態によれば、レンズユニット２２０がカメラ本体２０２から取り外されている状態では、コネクタカバー２０８がカバー位置に配置されているので、コネクタ部２０６にごみやほこり等の異物が入るのを抑制することができ、コネクタ２０６Ｋへの異物の付着が防止される。また、レンズユニット２２０をカメラ本体１２に装着することにより、コネクタカバー２０８が、レンズユニット３０に押されて開放位置Ｐ６へ移動するので、コネクタカバー２０８の開放後、レンズユニット２２２の装着までの間にコネクタ部２０６内にごみやほこり等の異物が入るのを抑制することができる。さらに、コネクタカバー２０８を開放位置Ｐ６へ移動させる動作を単独で行う必要がなく、利便性が向上する。また、本実施形態では、ねじりコイルバネ２１０を設けたので、レンズユニット２２０を取り外すと、コネクタカバー２０８がねじりコイルバネ２１０の付勢力により自動的に開放位置Ｐ６からカバー位置Ｐ５へ移動される。したがって、コネクタカバー２０８をカバー位置Ｐ６へ移動させる動作を単独で行う必要がなく、高い利便性を得ることができる。
【００９１】
なお、第１〜５実施形態のカメラ１０、４０、７０、９０、１１０では、レンズユニットからの光をカメラ側で受光する構成であったが、本実施形態のように、レンズユニットに撮像素子が備えられ、レンズ側コネクタ２２６を介してカメラ本体２０２へ画像情報を送信するものとしてもよい。この場合、第１〜５実施形態のカメラ１０、４０、７０、９０、１１０のカメラ本体１２、４２、９２、１１２側には、開口部１６、４６に代えてカメラ側コネクタ２０６Ｋを形成する。また、レンズユニット３０、６０、８０、１００、１２０に撮像素子２０４、及びレンズ側コネクタ２２６を備える。
【００９２】
なお第１〜第６実施形態では、撮像装置として、デジタルカメラを例にして説明したが、本発明の撮像装置はデジタルカメラに限定されるものではない。銀塩カメラやビデオカメラに適用可能であることはもちろんのこと、カメラ付き携帯電話、ＰＤＡ、などにも適用可能である。
【００９３】
【発明の効果】
以上説明したように、第１、第２の発明によれば、撮像用レンズユニットが撮像装置から取り外されている状態では、開口部カバーを、閉鎖位置へ移動させることにより開口部を閉鎖することができる。これにより、開口部から筐体内に異物が入るのを抑制することができる。また、撮像用レンズユニットが撮像装置に装着されている状態では、開口部カバーを開放位置へ位置させて、開口部を開放状態とすることができる。これにより、撮像用レンズユニットからの光は、開放された開口部を通過して直接撮像装置本体内に入射されるので、開口部に透明ガラス等配置したものと比較して、光学的ロスや反射などの光学的悪影響を少なくすることができる。さらに、開口部カバーは、撮像用レンズユニットの装着により開放されるので、開口部カバーの開放後、撮像用レンズユニットの装着までの間に筐体内に異物が入るのを抑制することができる。また、開口部カバーの開放を単独の動作で行う必要がなくなり、利便性が向上する。
【００９４】
また、第３の発明では、コネクタカバーは、前記コネクタを覆うカバー位置と前記コネクタを開放する開放位置との間を移動可能とされている。そこで、撮像用レンズユニットが撮像装置から取り外されている状態においては、コネクタカバーを、カバー位置へ移動させることによりコネクタを覆うことができる。これにより、コネクタへ異物が付着するのを抑制することができる。また、コネクタカバーは、撮像用レンズユニットの装着により開放されるので、コネクタカバーの開放後、撮像用レンズユニットの装着までの間にコネクタに異物が付着するのを抑制することができる。また、コネクタカバーの開放を単独の動作で行う必要がなくなり、利便性が向上する。
【図面の簡単な説明】
【図１】第１実施形態のカメラとレンズユニットの概略斜視図である。
【図２】第１実施形態のガイド部材、コイルスプリング、開口部カバー、及び、レンズユニットの分解斜視図である。
【図３】第１実施形態における開口部カバーの位置の説明図である。
【図４】第２実施形態のカメラとレンズユニットの概略斜視図である。
【図５】第２実施形態のレンズユニットの内部の概略図である。
【図６】第３実施形態のカメラとレンズユニットの概略斜視図である。
【図７】第３実施形態のレンズユニットの内部の概略図である。
【図８】第４実施形態のカメラとレンズユニットの概略斜視図である。
【図９】第４実施形態のレンズユニットの内部の概略図である。
【図１０】第５実施形態のカメラとレンズユニットの概略斜視図である。
【図１１】第５実施形態の蓋用部材の位置の説明図である。
【図１２】レンズユニットの変形例である。
【図１３】第６実施形態のカメラとレンズユニットの概略斜視図である。
【図１４】第６実施形態におけるコネクタカバーの位置の説明図である。
【符号の説明】
１０、４０、７０、９０、１１０、２００　　カメラ（撮像装置）
１２、４２、９２、１１２、２０２　　カメラ（撮像装置）
１６、４６　　開口部
１４、４４、１１４、２０４　　筐体
１８　　開口部カバー
２０、５０　　ガイド部材（ガイド）
２８　　コイルスプリング（移動部材）
３０、６０、８０、１００、１２０、２２０　レンズユニット
２０６　　コネクタ部（ガイド部材）
２０６Ｋ　コネクタ
２０８　　コネクタカバー
１１６　　蓋用部材（開口部カバー）
【図１】
2004109970.tif 000003
【図２】
2004109970.tif 000004
【図３】
2004109970.tif 000005
【図４】
2004109970.tif 000006
【図５】
2004109970.tif 000007
【図６】
2004109970.tif 000008
【図７】
2004109970.tif 000009
【図８】
2004109970.tif 000010
【図９】
2004109970.tif 000011
【図１０】
2004109970.tif 000012
【図１１】
2004109970.tif 000013
【図１２】
2004109970.tif 000014
【図１３】
2004109970.tif 000015
【図１４】
2004109970.tif 000016